(57)【特許請求の範囲】
【請求項１】
光レセプタクルと、割りスリーブと、前記光レセプタクルに係止してあるプラグの接続のためのアダプタとよりなり、
前記光レセプタクルは、
光素子が間接又は直接に固定してあるスリーブと、
フレーム係止用凸部を有し、上記スリーブに固定してあるフェルール用ホルダと、
該フェルール用ホルダに固定してあり、先端側が該フェルール用ホルダより突き出ているフェルールと、
合成樹脂製であり、該フェルール用ホルダのフレーム係止用凸部に嵌合するホルダ係止用開口と、光レセプタクルに嵌合するアダプタを係止するアダプタ係止部を有し、該ホルダ係止用開口を該アダプタ係止部の上記光素子側の端よりも上記フェルールの先端側に位置させたフレームとを有し、前記ホルダ係止用開口と前記フレーム係止用凸部とが嵌合してある構成であり、
前記割りスリーブは、前記突き出ているフェルールに固定してあり、
前記アダプタは、上記フレームの上記アダプタ係止部に係止される第１の係止部と、一方向に上記フレームに当接する長さ突き出ている第１の嵌合部と、プラグが係止されて接続されるように他方向に延在している第２の係止部と第２の嵌合部とよりなり、前記第１の嵌合部が上記フレーム内に嵌合して、且つ、前記第１の嵌合部及び前記第２の嵌合部の内に前記割りスリーブが嵌合して、前記第１の係止部を上記フレームの上記アダプタ係止部に係止した構成を特徴とするレセプタクルモジュール。
【請求項２】
上記フェルールと上記フェルール用ホルダとは、該フェルールの光素子側の端面が、上記フェルール用ホルダの光素子側の端より該フェルールの先端側の方向に後退している構成であることを特徴とする請求項１記載のレセプタクルモジュール。
【請求項３】
上記フェルールは、光素子側の端面が、該フェルールその光軸に垂直な面に対して傾斜した面である構成としたことを特徴とする請求項１記載のレセプタクルモジュール。
【請求項４】
プラグが接続されるようにアダプタが取り付けられる光素子モジュール−フェルール一体形の光レセプタクルであって、
光素子が間接又は直接に固定してあるスリーブと、
フレーム係止用凸部を有し、上記スリーブに固定してあるフェルール用ホルダと、該フェルール用ホルダに固定してあり、先端側が該フェルール用ホルダより突き出ているフェルールと、
該フェルール用ホルダのフレーム係止用凸部に嵌合するホルダ係止用開口と、光レセプタクルに嵌合するアダプタを係止するアダプタ係止部を有し、該ホルダ係止用開口を該アダプタ係止部の上記光素子側の端よりも上記フェルールの先端側に位置させたフレームとを設け、該フレームの該ホルダ係止用開口を上記フェルール用ホルダの上記フレーム係止用凸部に嵌合させてある構成としたことを特徴とする光レセプタクル。
【請求項５】
請求項１のレセプタクルモジュールが内部に組み込まれている構成としたことを特徴とする光モジュール。
【請求項６】
請求項１のレセプタクルモジュールが、上記アダプタが金属ケースに当接して、上記光レセプタクルが該金属ケースより浮いた状態で組み込まれている構成としたことを特徴とする光モジュール。
【発明の詳細な説明】
【０００１】
【発明の属する技術分野】
本発明はＳＣ形プラグが接続されるレセプタクルモジュールに係り、特に、光加入者システムにおいて各家庭に置かれる光モジュール内に組み込まれるＳＣ形プラグ用レセプタクルの改良に関する。
光通信ネットワークにおいては、光ファイバ同士の接続用として、ＳＣ形プラグ（ＪＩＳ  Ｃ  ５９７３）が広く使用されている。ＳＣ形プラグ１０は、図９に示すように、略直方体形状のハウジング１１内に、プラグ本体組立体１２が組み込まれた構成である。プラグ本体組立体１２は、フェルール１３が圧縮コイルばね１４と共にフェルール用ホルダ１５内に組み込まれ、フレーム１６がフェルール１３を覆ってフェルール用ホルダ１５に嵌合して固定された構成である。ＳＣ形プラグ１０からは、光ファイバ１７が延びている。フェルール１３の先端がハウジング１１の先端より突き出ている。フェルール１３は、突き出ている先端がＸ２方向に押されると、圧縮コイルばね１４が撓むことによってＸ２方向に少し変位し、圧縮コイルばね１４のばね力でもってＸ１方向に突き出るように付勢される。
【０００２】
このＳＣ形プラグ１０は、ＳＣ形プラグ用レセプタクルモジュール２０に挿入することによって、フレーム１６の外周側の凸部１６ａをレセプタクルモジュール２０の係止爪部２０ａに係止されて接続される。フェルール１３はレセプタクルモジュール２０内のフェルールの先端に当たってＸ２方向に少し押し戻される。よって、ＳＣ形プラグ１０がＳＣ形プラグ用レセプタクルモジュール２０に接続された状態では、フェルール１３の先端とレセプタクルモジュール２０内のフェルール（図示せず）の先端とが押し当たっている。
【０００３】
光ファイバ同士の接続用として上記のＳＣ形プラグ（ＪＩＳ  Ｃ  ５９７３）が広く使用されている現状を考慮すると、光加入者システムにおいて各家庭に置かれる宅内光モジュール内には、外部の光ファイバが接続されるレセプタクルモジュールとして、ＳＣ形プラグ用レセプタクルモジュールが組み込まれることが望ましい。
【０００４】
また、光加入者システムの普及のためには、宅内光モジュールは、製造コストが安価であり、且つ、小型であることが要求されている。この要求を満たすべく、ＳＣ形プラグ用レセプタクルモジュールについても、製造コストが安価であり、更には、長さが短い構造等が求められている。
【０００５】
【従来の技術】
図１０は従来のＳＣ形プラグ用レセプタクル３０、及びこのＳＣ形プラグ用レセプタクル３０が組み込んである宅内光モジュール４０を示す。宅内光モジュール４０は、光加入者システムを構築するためのものであり、家庭５０内に置かれる。この宅内光モジュール４０内のＳＣ形プラグ用レセプタクル３０には、交換局（図示せず）から延びている光ファイバ１７Ａの先端のＳＣ形プラグ１０が接続されている。
【０００６】
従来のＳＣ形プラグ用レセプタクル３０は、ＳＣ形プラグ１０と同じＳＣ形プラグ１０Ａに、ＳＣ形プラグ１０が接続されるためのアダプタ３１が取り付けてある構成であり、レーザダイオード等が組み込まれた光素子モジュール３２とは別体である。
ＳＣ形プラグ用レセプタクル３０と光素子モジュール３２との間は、光ファイバ３３によって接続してある。光ファイバ３３は、所定の径Ｒの円を形作るようにして余長処理してある。３４は余長処理部を示す。
【０００７】
光素子モジュール３２は、電気信号の処理を行なう信号処理回路基板３５上に搭載してある。
上記のように、宅内光モジュール４０は、ケース４１内に、ＳＣ形プラグ用レセプタクル３０、光ファイバ３３、光素子モジュール３２、信号処理回路基板３５が組み込まれた構成である。
【０００８】
【発明が解決しようとする課題】
このため、宅内光モジュール４０を組み立てるに当たっては、光ファイバ３３の余長処理を行なう必要があり、組み立て作業が面倒となっており、宅内光モジュール４０は製造コストが高くなっていた。また、光ファイバ３３及び余長処理部３４を有するため、宅内光モジュール４０は小型化が困難であった。
【０００９】
そこで、本発明は、宅内光モジュールを組み立てし易くし且つ小型とするレセプタクルモジュールを提供することを目的とする。
【００１０】
【課題を解決するための手段】
請求項１の発明は、光レセプタクルと、割りスリーブと、前記光レセプタクルに係止してあるプラグの接続のためのアダプタとよりなり、
前記光レセプタクルは、
光素子が間接又は直接に固定してあるスリーブと、フレーム係止用凸部を有し、上記スリーブに固定してあるフェルール用ホルダと、該フェルール用ホルダに固定してあり、先端側が該フェルール用ホルダより突き出ているフェルールと、合成樹脂製であり、該フェルール用ホルダのフレーム係止用凸部に嵌合するホルダ係止用開口と、光レセプタクルに嵌合するアダプタを係止するアダプタ係止部を有し、該ホルダ係止用開口を該アダプタ係止部の上記光素子側の端よりも上記フェルールの先端側に位置させたフレームとを有し、前記ホルダ係止用開口と前記フレーム係止用凸部とが嵌合してある構成であり、
前記割りスリーブは、前記突き出ているフェルールに固定してあり、
前記アダプタは、上記フレームの上記アダプタ係止部に係止される第１の係止部と、一方向に上記フレームに当接する長さ突き出ている第１の嵌合部と、プラグが係止されて接続されるように他方向に延在している第２の係止部と第２の嵌合部とよりなり、前記第１の嵌合部が上記フレーム内に嵌合して、且つ、前記第１の嵌合部及び前記第２の嵌合部の内に前記割りスリーブが嵌合して、前記第１の係止部を上記フレームの上記アダプタ係止部に係止した構成を特徴とする。
【００１１】
光レセプタクルが、光素子とフェルールとが一体である構成であるため、光素子とフェルールとの間を接続する光ファイバが不要となる。また、フレームは、ホルダ係止部がアダプタ係止部よりも上記フェルールの先端側に位置しているため、即ち、フェルール用ホルダの上記フレーム係止部がフレームのホルダ係止部に嵌合している位置がフレームのアダプタ係止部より光素子の側ではなく、フェルールの先端側に位置しているため、フェルールの長さが短くて済むようになる。
【００１２】
請求項２の発明は、上記フェルールと上記フェルール用ホルダとは、該フェルールの光素子側の端面が、上記フェルール用ホルダの光素子側の端より該フェルールの先端側の方向に後退している構成としたものである。
フェルールの光素子側の面が上記フェルール用ホルダの光素子側の端より該フェルールの先端側の方向に後退しているため、フェルールの光素子側の面をフェルール用ホルダの光素子側の端と同じにした場合に比べて、フェルールの長さが短くて済むようになる。
【００１３】
請求項３の発明は、上記フェルールは、光素子側の端面が、該フェルールその光軸に垂直な面に対して傾斜した面である構成としたものである。
この構成は、光素子より出た光の一部がフェルールの端面で反射した場合に、反射した光が光素子に戻らないようにする。
請求項４の発明は、プラグが接続されるようにアダプタが取り付けられる光素子モジュール−フェルール一体形の光レセプタクルであって、
光素子が間接又は直接に固定してあるスリーブと、
フレーム係止用凸部を有し、上記スリーブに固定してあるフェルール用ホルダと、該フェルール用ホルダに固定してあり、先端側が該フェルール用ホルダより突き出ているフェルールと、
該フェルール用ホルダのフレーム係止用凸部に嵌合するホルダ係止用開口と、光レセプタクルに嵌合するアダプタを係止するアダプタ係止部を有し、該ホルダ係止用開口を該アダプタ係止部の上記光素子側の端よりも上記フェルールの先端側に位置させたフレームとを設け、該フレームの該ホルダ係止用開口を上記フェルール用ホルダの上記フレーム係止用凸部に嵌合させてある構成としたことを特徴とする。
【００１４】
光レセプタクルが、光素子とフェルールとが一体である構成であるため、光素子モジュールとフェルールとの間を接続する光ファイバが不要となる。また、フレームは、ホルダ係止部がアダプタ係止部よりも上記フェルールの先端側に位置しているため、即ち、フェルール用ホルダの上記フレーム係止部がフレームのホルダ係止部に嵌合している位置がフレームのアダプタ係止部より光素子の側ではなく、フェルールの先端側に位置しているため、フェルールの長さが短くて済むようになる。
【００１６】
請求項５の発明は、請求項１のレセプタクルモジュールが内部に組み込まれている構成としたものである。光モジュールは、光ファイバが収容されてしない構成となって、小型となる。また、光ファイバの余長処理が必要でなくなり、光モジュールは、製造し易くなる。
【００１７】
請求項６の発明は、請求項１のレセプタクルモジュールが、上記アダプタが金属ケースに当接して、上記光レセプタクルが該金属ケースより浮いた状態で組み込まれている構成としたものである。
元々付いているアダプタを利用して、光素子が金属ケースと電気的に絶縁された状態とされる。よって、特別の部材を付けることなく、光素子が正常に動作するようにすることが出来る。
【００１８】
【発明の実施の形態】
〔第１実施例〕
図１及び図２は本発明の第１実施例になるＳＣ形プラグが接続されるＳＣ形プラグ用レセプタクルモジュール６０を示す。図２は、レセプタクルモジュール６０を図１に示す姿勢より９０度回動させた向きで示してある。レセプタクルモジュール６０は、大略、光レセプタクル７０と、アダプタ１００と、割りスリーブ１０１とよりなる構成である。Ｘ２方向は、ＳＣ形プラグを接続するに当たって挿入される方向であり、Ｘ１方向は、ＳＣ形プラグが引き抜かれる方向である。ＳＣ形プラグが接続されるように、光レセプタクル７０とアダプタ１００とが組み合わされており、フェルール７３のＸ１方向端面７３ｆがアダプタ１００の中央部１００ａに位置している。
【００１９】
先ず、光レセプタクル７０について説明する。光レセプタクル７０は、図３に併せて示すように、光素子モジュール８０とフェルール７３とが一体化された光素子モジュール−フェルール一体形の構造を有する。この光レセプタクル７０は、光素子モジュール８０と、スリーブ７１と、フェルール用ホルダ７２と、フェルール７３と、フレーム７４とよりなる。
【００２０】
光素子モジュール８０は、略筒状の金属製のハウジング８１内に、発光素子としてのレーザダイオード８２と、受光素子としてのフォトダイオード（図示せず）と、カプラとしての球レンズ８３が組み込んであり、ハウジング８１のＸ２方向端側がステム８４でもって塞がれており、ステム８４を通って端子８５、８６がＸ２方向に延びている。８７は、レーザダイオード８２より出た光が球レンズ８３でもって集光される集光点である。光素子モジュール８０とフェルール７３とは、フェルール７３のＸ２方向の端面７３ｃが集光点８７と一致している関係にある。
【００２１】
スリーブ７１は、金属製であり、筒状を有し、光素子モジュール８０のハウジング８１のＸ１方向の端面８１ａにレーザ溶接されて固定してあり、ハウジング８１よりＸ１方向に突き出ている。７６は溶接箇所を示す。このスリーブ７１は、フェルール組立体７５の取付け位置を定める役割を有する。
フェルール７３は、予めフェルール用ホルダ７２内に挿入されて固定されており、図４に示すフェルール組立体７５を構成している。
【００２２】
フェルール用ホルダ７２は、金属製であり、上記スリーブ７１内に圧入されるサイズの筒部７２ａと、この筒部７２ａのＸ１方向端にあって外周側に突き出たフランジ状凸部７２ｂと、フランジ状凸部７２ｂよりＸ１方向端に延びており、外周面に切り欠き部７２ｄ，７２ｅが形成してある筒部７２ｃとよりなる。フランジ状凸部７２ｂは、フレーム７４と係合するためのものであり、円板の外周の一部を切り取った形状であり、一の直径の両端側（図４中、上下側）に突き出たフレーム係止部としてのフレーム係止用凸部７２ｂ１、７２ｂ２を有する。切り欠き部７２ｄ，７２ｅが形成してある筒部７２ｃは、測定用コネクタが接続されるようにするためのものである。これらについては後述する。
【００２３】
フェルール７３は、キャピラリ７３ａの中心にこれ貫通して光ファイバ７３ｂが固定してある構成であり、長さはＬ１である。この長さＬ１は、約６ｍｍであり、後述する第２、第３実施例の場合のフェルールの長さより短くなっている。この理由については、後述する。
フェルール７３の、Ｘ２方向端面７３ｃは、フェルール７３の中心軸７３ｄに垂直の面７３ｅに対して角度α傾斜している。７３ｆはフェルール７３のＸ１方向端面、即ち、先端面であり、フェルール７３の中心軸７３ｄに垂直である。
【００２４】
フェルール７３は、端面７３ｃを先頭にして、フェルール用ホルダ７２内にその筒部７２ｃ側から挿入されており、フェルール用ホルダ７２に固定してある。フェルール７３の挿入はフェルール用ホルダ７２のＸ１方向端までではなくフェルール用ホルダ７２内の途中の位置までにとどまっており、端面７３ｃは、フェルール用ホルダ７２のＸ２方向端よりＸ１方向に距離ａだけ手前の位置となっている。これが、フェルール７３の長さを短くする一つの要因である。
【００２５】
フェルール組立体７５は、フェルール用ホルダ７２の筒部７２ａをスリーブ７１内に圧入されて、端面７３ｃが集光点８７と一致した状態に位置決めされて、スリーブ７１のＸ２方向端と筒部７２ａとがレーザ７７によってレーザ溶接されて固定してある。７８は溶接箇所を示す。
ここで、フェルール組立体７５をスリーブ７１（光素子モジュール８０）に固定するときには、図４に示す光強度測定用コネクタ１２０をＸ２方向に押してフェルール組立体７５に接続し、レーザダイオード８２を駆動させ、光強度測定機器（図示せず）の計測値をモニタしながらフェルール組立体７５をＸ１、Ｘ２方向に微小移動させ、レーザダイオード８２より出た光が端面７３ｃよりフェルール７３内に最も効率良く入射する位置を求める光軸調整を行い、フェルール組立体７５をこの位置に位置決めし、この状態でレーザ溶接を行う。
【００２６】
なお、光強度測定用コネクタ１２０は、光強度測定機器（図示せず）から延びている光ファイバ１２５の先端に設けてあり、フェルール１２１と、このフェルール１２１を囲んでいるハウジング１２２と、ハウジング１２２より平行に延びており先端に係止爪１２３ａ，１２４ａを有する一対の腕１２３，１２４とよりなる。この光強度測定用コネクタ１２５は、係止爪１２３ａ，１２４ａをフェルール組立体７５の切り欠き部７２ｄ，７２ｅに係止させてフェルール組立体７５と接続され、フェルール１２１がフェルール７３と突き当たった状態とされる。
【００２７】
また、フランジ状凸部７２ｂは、円板の周囲の一部を切り取った形状である。１１５、１１６、１１７は切り取られた部分であり、溶接のためのレーザ７７の邪魔とならないように作用する。レーザ７７の光路がこの切り取られた部分１１５、１１６、１１７を通過するようにして、レーザ７７をフランジ状凸部７２ｂの極く近くに位置するスリーブ７１のＸ２方向端に照射することが可能となっている。
【００２８】
フレーム７４は、電気絶縁性を有する合成樹脂製であり、軸線に直交する面での断面の外側が略四角形状であり内側が円形である略筒状の本体部７４ａを有する。本体部７４ａは、周囲に四つの平面７４ａ１〜７４ａ４を有し、内側に円周面７４ａ５を有する。本体部７４ａの周囲のうち反対側に位置する二つの面７４ａ１、７４ａ３には、アダプタ係止部としてのアダプタ係止用凸部７４ｂ，７４ｃ及びホルダ係止部としてのホルダ係止用開口７４ｄ，７４ｅが形成してある。残りの二つの面７４ａ２、７４ａ４にはＵ字形の切り込み部７４ｆ，７４ｇが形成してある。アダプタ係止用凸部７４ｂ，７４ｃは本体部７４ａのＸ２方向端より両側に外側に突き出ている。ホルダ係止用開口７４ｄはアダプタ係止用凸部７４ｂよりＸ１方向側に隣接して、即ち、アダプタ係止用凸部７４ｂのＸ２方向端の面７４ｂ１よりＸ１方向側に位置している。ホルダ係止用開口７４ｅはアダプタ係止用凸部７４ｃよりＸ１方向側に隣接して、即ち、アダプタ係止用凸部７４ｃのＸ２方向端の面７４ｃ１よりＸ１方向側に位置している。これが、フェルール７３の長さを短くする別の要因である。Ｕ字形の切り込み部７４ｆ，７４ｇは、開口がＸ２方向端となっている。
【００２９】
フレーム７４は、Ｕ字形の切り込み部７４ｆ，７４ｇを利用してフレーム７４を変形させＸ２方向の口を拡げるようにして、フェルール組立体７５に嵌合させ、ホルダ係止用開口７４ｄ，７４ｅが夫々フレーム係止用凸部７２ｂ１、７２ｂ２に係合されて、且つ、本体部７４ａがスリーブ７１に嵌合されて、フェルール組立体７５に取り付けてあり、フェルール組立体７５を囲んでいる。フェルール７３のＸ１方向端面７３ｆが、フレーム７４のＸ１方向端よりＸ１方向に突き出ている。
【００３０】
フレーム係止用凸部７２ｂ１、７２ｂ２とアダプタ係止用凸部７４ｂ、７４ｃとの位置関係についてみると、フレーム係止用凸部７２ｂ１、７２ｂ２は夫々アダプタ係止用凸部７４ｂ、７４ｃよりＸ１方向側に位置している。これが、フェルール７３の長さを短くする別の要因である。
次にアダプタ１００について説明する。図１及び図２に示すように、アダプタ１００は、電気絶縁物製又は抵抗率が１００ｋΩ・ｃｍ程度である電気絶縁性を有する合成樹脂製であり、中央の正方形の板状の中央部１００ａと、中央部１００ａからＸ２方向に延在して対向している第１の係止部としての第１の一対の係止腕部１００ｂ，１００ｃと、同じく中央部１００ａからＸ２方向に突き出ている第１の嵌合部としての第１の筒部１００ｄと、同じく中央部１００ａからＸ１方向に延在して対向している第２の係止部としての第２の一対の係止腕部１００ｅ，１００ｆと、同じく中央部１００ａからＸ１方向に突き出ている第２の嵌合部としての第２の筒部１００ｇとよりなる。
【００３１】
第１の一対の係止腕部１００ｂ，１００ｃと第２の一対の係止腕部１００ｅ，１００ｆとは一直線状に整列している。第１の筒部１００ｄと第２の筒部１００ｇとも一直線状に整列している。
第１の一対の係止腕部１００ｂ，１００ｃ及び第２の一対の係止腕部１００ｅ，１００ｆは、先端に係止爪部１００ｂ１，１００ｃ１、１００ｅ１，１００ｆ１を有する。第１の一対の係止腕部１００ｂ，１００ｃの長さＬ１０は、係止爪部１００ｂ１，１００ｃ１がアダプタ係止用凸部７４ｂ，７４ｃを係止した状態で、中央部１００ａにフェルール７３のＸ１方向端面７３ｆが位置するように定めてある。第１の筒部１００ｄの長さＬ２０は、係止爪部１００ｂ１，１００ｃ１がアダプタ係止用凸部７４ｂ，７４ｃを係止した状態で、第１の筒部１００ｄがフレーム７４の本体部７４ａに当接し、フェルール７３の外周に嵌合するように定めてある。第２の一対の係止腕部１００ｅ，１００ｆの長さＬ３０及び第２の筒部１００ｇの長さＬ４０は、ＳＣ形プラグ１０が正常に接続されるように定めてある。
【００３２】
図１に示すように、レセプタクルモジュール６０は、係止爪部１００ｂ１，１００ｃ１がアダプタ係止用凸部７４ｂ，７４ｃを係止した状態で、アダプタ１００が光レセプタクル７０に取り付けられた構成である。第１の筒部１００ｄがフレーム７４の本体部７４ａに当接し、フェルール７３に嵌合している。
割りスリーブ１０１は、フェルール７３のＸ１方向端面７３ｆ寄りの部分の外周を囲んで固定されており、且つ第１の筒部１００ｄ及び第２の筒部１００ｇ内に嵌合している。割りスリーブ１０１は、ＳＣ形プラグ１０が接続されたときに、ＳＣ形プラグ１０側のフェルール１３とレセプタクルモジュール６０側のフェルール７３との芯合わせをするためのものである。
【００３３】
フェルール７３のＸ１方向端面７３ｆは、アダプタ１００の中央部１００ａに位置している。
上記構成のレセプタクルモジュール６０は、図５に示すように、宅内光モジュール４０Ａ内に組み込まれる。宅内光モジュール４０Ａは、光加入者システムを構築するためのものであり、家庭５０内に置かれものである。宅内光モジュール４０Ａは、金属製のケース４１Ａ内に、レセプタクルモジュール６０と信号処理回路基板３５Ａとが組み込まれた構成である。ケース４１Ａ内には、光ファイバの余長処理部は存在してしないため、宅内光モジュール４０Ａは従来に比べて製造が容易であり、且つ小型である。
【００３４】
レセプタクルモジュール６０は、電気絶縁性を有する合成樹脂製であるアダプタ１００の中央部１００ａをケース４１Ａの底板４１Ａａに固定されて、且つ端子８５、８６を信号処理回路基板３５Ａに半田１３０でもって接続されて取り付けてある。金属製である光レセプタクル７０はケース４１Ａの底板４１Ａａから浮いており、電気的に絶縁されている。レセプタクルモジュール６０のアダプタ１００側が、ケース４１Ａの側板４１Ａｂの開口４１Ａｃに臨んでいる。
【００３５】
この宅内光モジュール４０Ａ内のＳＣ形プラグ用レセプタクルモジュール６０には、交換局（図示せず）から延びている光ファイバ１７Ａの先端のＳＣ形プラグ１０が接続される。
図１に示すように、レーザダイオード８２より出た光は球レンズ８３を通って集光されて端面７３ｃよりフェルール７３内に入り、ＳＣ形プラグ１０を経て、光ファイバ１７Ａを通って交換局（図示せず）に送られる。逆に、交換局（図示せず）からの光は、光ファイバ１７Ａ、ＳＣ形プラグ１０、フェルール７３を経て、端面７３ｃより出て、球レンズ８３を通ってフォトダイオード（図示せず）に到る。
【００３６】
次に上記構成のレセプタクルモジュール６０及び宅内光モジュール４０Ａの特徴について説明する。
▲１▼レセプタクルモジュール６０は光素子モジュール８０を一体に有する構成である。
よって、宅内光モジュール４０Ａを組み立てるに当たって、従来は必要であった光ファイバの余長処理が必要でなくなり、宅内光モジュール４０Ａの組み立て作業が従来に比べて簡単となり、しかも、宅内光モジュール４０Ａを大幅に小型に出来る。
【００３７】
▲２▼フェルール７３の長さＬ１を短くできる。
第１には、フレーム係止用凸部７２ｂ１、７２ｂ２がホルダ係止用開口７４ｄ，７４ｅに嵌合している位置が、夫々アダプタ係止用凸部７４ｂ１、７４ｂ２よりＸ１方向側の位置である構成であること、第２には、フェルール７３の挿入はフェルール用ホルダ７２のＸ１方向端までではなくフェルール用ホルダ７２内の途中の位置にとどまっており、端面７３ｃは、フェルール用ホルダ７２のＸ２方向端よりＸ１方向に距離ａだけ手前の位置となっている構成によって、フェルール７３の長さＬ１が通常より短くなっている。
【００３８】
フレーム係止用凸部７２ｂ１、７２ｂ２がホルダ係止用開口７４ｄ，７４ｅに嵌合している位置が夫々アダプタ係止用凸部７４ｂ１、７４ｂ２よりＸ１方向側の位置であると、フェルール７３の長さＬ１を短くできるのは、フェルール７３のＸ１方向側の端面７３ｆがアダプタ１００の中央部１００ａに位置するように決まっており、この状態でフェルール組立体７５がＸ１方向側にシフトされ、フェルール７３の長さがＸ１方向側からつめられるからである。フェルール７３のＸ２方向端面７３ｃがフェルール用ホルダ７２のＸ２方向端よりＸ１方向に距離ａだけ手前の位置となっていることによってフェルール７３の長さＬ１を短くできるのは、フェルール７３のＸ２方向端面７３ｃの位置がＸ１方向にシフトされてフェルール７３の長さがＸ２方向側からつめられるからである。
【００３９】
フェルール７３の長さＬ１が通常より短くなっていることによって、以下の三つの効果を有する。
Ａ．レセプタクルモジュール６０の長さＬ５０を短くできる。中央部１００ａからＸ１方向側の部分はＳＣ形プラグが接続されるようにするために存在する部分であり、長さＬ６０は短く出来ないけれども、中央部１００ａからＸ２方向側の部分についての長さＬ７０は、フェルール７３の長さＬ１が通常より短くなっている分短くなっているからである。
【００４０】
Ｂ．フェルール７３自体の製造コストを安価にできる。フェルール７３は、キャピラリ７３ａの中心にこれ貫通して光ファイバ７３ｂが固定してある構成であり、長さが短くなって、約６ｍｍとなると、製造の困難性が緩和されるからである。
Ｃ．宅内光モジュール４０Ａが小型に出来る。
【００４１】
▲３▼レーザダイオード８２及び受光素子としてのフォトダイオード（図示せず）が安定に動作する。金属製である光レセプタクル７０がケース４１Ａの底板４１Ａａから浮いており、電気的に絶縁されているからである。
▲４▼レーザダイオード８２は端面７３ｃにおける光の反射の影響を受けず、安定に動作する。端面７３ｃがフェルール７３の中心軸７３ｄに垂直の面７３ｅに対して角度α傾斜しており、端面７３ｃで反射した光はレーザダイオード８２に向かわないからである。
【００４２】
▲５▼レーザダイオード８２より出た光が端面７３ｃよりフェルール７３内に最も効率良く入射するように組立てることを能率良く行うことができる。光強度測定用コネクタ１２５を使用することによって、光強度測定機器（図示せず）をフェルール組立体７５に素早く接続することができるからである。
▲６▼溶接箇所７８がフェルール組立体７５のフランジ状凸部７２ｂの近くに位置している。切り取られた部分１１５、１１６、１１７がレーザ７７の邪魔とならないようになるためである。溶接箇所７８がフェルール組立体７５のフランジ状凸部７２ｂの近くに位置することによって、フェルール組立体７５がスリーブ７１と嵌合しあう寸法ｂが長くなり、フェルール組立体７５はより安定に固定される。
【００４３】
図６（Ａ），（Ｂ）は、フレーム７４の変形例を示す。図６（Ａ）のフレーム７４−１は、係止開口７４−１ｅが係止凸部７４−１ｂより、Ｘ１方向に寸法ｃだけ寄った位置に形成してある構成である。このフレーム７４−１を使用すると、フェルールとして、長さが上記実施例のフェルール７３の長さＬ１よりさらに寸法ｃ短くすることが可能である。図６（Ｂ）のフレーム７４−２は、係止開口７４−２ｅと係止凸部７４−２ｂとを異なる面に配した構成である。図６（Ａ）のフレーム７４Ａと同じく、フェルールの長さを短くできる。
【００４４】
〔第２実施例〕
図７は本発明の第２実施例になるＳＣ形プラグが接続されるＳＣ形プラグ用レセプタクルモジュール６０Ｂを示す。このレセプタクルモジュール６０Ｂは、光素子モジュール８０と一体の構造であり、実質上、上記の第１実施例になるレセプタクルモジュール６０と同じ構成であり、図７中、図１に示す構成部分と同じ部分には同じ符号を付し、図１に示す構成部分と対応する部分には添字Ｂを付した同一符号を付す。
【００４５】
このレセプタクルモジュール６０Ｂは、フレーム７４Ｂと、アダプタ１００Ｂを有する。フレーム７４ＢはＳＣ形プラグ１０内に組み込まれているフレームと同じものである。よって、アダプタ１００Ｂは、各部の寸法が図１０に示す従来のＳＣ形プラグ用レセプタクル３０のアダプタ３１と同じ寸法のものである。
フェルール７３Ｂの長さＬ１Ｂは、上記の第１実施例になるレセプタクルモジュール６０のフェルール７３の長さＬ１より長い。しかし、レセプタクルモジュール６０Ａは光素子モジュール８０を一体に有する構造であり、上記の第１実施例のレセプタクルモジュール６０及び宅内光モジュール４０Ａと実質上同じ効果が得られる。
【００４６】
〔第３実施例〕
図８は本発明の第３実施例になるＳＣ形プラグが接続されるＳＣ形プラグ用レセプタクルモジュール６０Ｃを示す。このレセプタクルモジュール６０Ｃは、光素子モジュール８０と一体の構造であり、実質上、上記の第１実施例になるレセプタクルモジュール６０と同じ構成であり、図７中、図１に示す構成部分と同じ部分には同じ符号を付し、図１に示す構成部分と対応する部分には添字Ｃを付した同一符号を付す。
【００４７】
このレセプタクルモジュール６０Ｃは、フレーム７４Ｃと、アダプタ１００Ｃを有する。フレーム７４Ｃは上記のフレーム７４Ｂと比較した場合に、係止開口７４Ｃｄ，７４Ｃｅが夫々係止凸部７４Ｃｂ，７４ＣｃよりＸ２方向側ではあるけれども、係止凸部７４Ｃｂ，７４Ｃｃの直ぐ近くにまで近づいている構成であることが相違する。
【００４８】
アダプタ１００Ｃは、上記のアダプタ１００Ｂと同じである。
フェルール７３Ｃの長さＬ１Ｃは、上記のフェルール７３Ｂの長さＬ１Ｂより短い。よって、上記の第１実施例のレセプタクルモジュール６０及び宅内光モジュール４０Ａと実質上同じ効果が得られる。
なお、アダプタ１００，１００Ｂ，１００Ｃは、二点鎖線で示すように、これを囲むシェル部１４０を有する構成でもよい。
【００４９】
【発明の効果】
以上説明したように、本願明細書記載の発明によれば、光レセプタクルが、光素子とフェルールとが一体である構成であるため、光素子とフェルールとの間を接続する光ファイバが不要となる。また、フレームは、ホルダ係止部がアダプタ係止部よりも上記フェルールの先端側に位置しているため、即ち、フェルール用ホルダの上記フレーム係止部がフレームのホルダ係止部に嵌合している位置がフレームのアダプタ係止部より光素子の側ではなく、フェルールの先端側に位置しているため、フェルールの長さが短くて済むようになる。
【００５０】
本願明細書記載の発明によれば、フェルールの光素子側の端面が上記フェルール用ホルダの光素子側の端より該フェルールの先端側の方向に後退しているため、フェルールの光素子側の面をフェルール用ホルダの光素子側の端と同じにした場合に比べて、フェルールの長さを短くて済むようにできる。これによって、フェルール自体の製造コストを安価に出来、且つ、レセプタクルモジュールの長さを短く出来、且つ、光モジュールが小型に出来る。
【００５１】
本願明細書記載の発明によれば、上記フェルールは、光素子側の端面が、該フェルールその光軸に垂直な面に対して傾斜した面である構成としたものであるため、光素子より出た光の一部がフェルールの端面で反射した場合に、反射した光が光素子に戻らないようになり、レーザダイオード等がフェルールの端面における光の反射の影響を受けず、レーザダイオード等の動作の安定化を図ることが出来る。
【００５２】
本願明細書記載の発明によれば、光レセプタクルが、光素子とフェルールとが一体である構成であるため、光素子とフェルールとの間を接続する光ファイバが不要となる。また、フレームは、ホルダ係止部がアダプタ係止部よりも上記フェルールの先端側に位置しているため、即ち、フェルール用ホルダの上記フレーム係止部がフレームのホルダ係止部に嵌合している位置がフレームのアダプタ係止部より光素子の側ではなく、フェルールの先端側に位置しているため、フェルールの長さが短くて済むようになる。また、アダプタが取付けられて、小型のレセプタクルモジュールを実現出来る。
【００５４】
本願明細書記載の発明によれば、請求項１のレセプタクルが内部に組み込まれている構成としたものであるため、光モジュールは、光ファイバが収容されてしない構成となって、小型となる。また、光ファイバの余長処理が必要でなくなり、光モジュールは、製造し易くなる。請求項７の発明は、請求項１のレセプタクルが、上記アダプタが金属ケースに当接して、上記光レセプタクルが該金属ケースより浮いた状態で組み込まれている構成としたものであるため、元々付いているアダプタを利用して、光素子が金属ケースと電気的に絶縁された状態と出来る。よって、特別の部材を付けることなく、光素子が正常に動作するようにすることが出来る。
【図面の簡単な説明】
【図１】本発明の第１実施例になるＳＣ形プラグ用レセプタクルモジュールを示す図である。
【図２】図１のＳＣ形プラグ用レセプタクルモジュールの分解斜視図である。
【図３】図１中の光レセプタクルを分解して示す図である。
【図４】フェルール組立体を光強度測定用コネクタと対応させて示す図である。
【図５】図１及び図２のＳＣ形プラグ用レセプタクルモジュールが組み込んである宅内光モジュールを示す図である。
【図６】フレームの変形例を示す図である。
【図７】本発明の第２実施例になるＳＣ形プラグ用レセプタクルモジュールを示す図である。
【図８】本発明の第３実施例になるＳＣ形プラグ用レセプタクルモジュールを示す図である。
【図９】ＳＣ形プラグを示す図である。
【図１０】従来例を示す図である。
【符号の説明】
１０  ＳＣ形プラグ
６０、６０Ｂ，６０Ｃ  ＳＣ形プラグ用レセプタクルモジュール
７０，７０Ｂ，７０Ｃ  光レセプタクル
７１  スリーブ
７２  フェルール用ホルダ
７２ｂ１，７２ｂ２  フレーム係止用凸部（フレーム係止部）
７３  フェルール
７４  フレーム
７４ｂ，７４ｃ  アダプタ係止用凸部（アダプタ係止部）
７４ｄ，７４ｅ  ホルダ係止用開口（ホルダ係止部）
８０  光素子モジュール
８２  レーザダイオード
８３  球レンズ
１００，１００Ａ，１００Ｂ  アダプタ
【図１】
0003934234.tif 000002
【図２】
0003934234.tif 000003
【図３】
0003934234.tif 000004
【図４】
0003934234.tif 000005
【図５】
0003934234.tif 000006
【図６】
0003934234.tif 000007
【図７】
0003934234.tif 000008
【図８】
0003934234.tif 000009
【図９】
0003934234.tif 000010
【図１０】
0003934234.tif 000011